(57)【要約】 【課題】  基板収納ボックスの封印を確実に行う。【解決手段】  基板収納ボックス２１は固定側ケース２３と被覆側ケース２４とからなり、その固定側ケース２３には突出片３３，３４を形成し、かつ突出片３３には係止孔３３ａを形成する。一方、被覆側ケース２４にはその突出片３３に対応して切欠部３５，３６を形成する。また、被覆側ケース２４の裏面に取り付けられる閉鎖板４０には規制片５１を延出形成し、その規制片５１に係止突部５１ａを形成する。これにより、固定側ケース２３に被覆側ケース２４を組み付けると、被覆側ケース２４側に設けられた係止突部５１ａが固定側ケース２３に形成された係止孔３３ａを介してボックス２１外に突出する。そして、その突出部分を熱かしめすればこの基板収納ボックス２１は封印され、規制片５１を切断等しない限り開けられることはない。【選択図】  図１
2008259914.tif 000002
【特許請求の範囲】
【請求項１】
遊技動作を制御する回路基板を固定するための固定側ケース
と、この固定側ケースと整合する被覆側ケースとによって、これら両ケースの内
部に前記回路基板を封印して収納させるための構造であって、
前記回路基板が収納される空間内において前記被覆側ケースと前記固定側ケー
スとの間に樹脂部材を架け渡すとともに、その端部を前記両ケースのうち少なく
とも一方の側に形成した開口部より引き出して、端部を熱かしめすることによっ
て両ケースの封印がなされていることを特徴とするパチンコ機における基板収納
ボックスの封印構造。
【発明の詳細な説明】
【技術分野】
【０００１】
本発明は、パチンコ機における基板収納ボックスの封印構造に関するものであ
る。
【背景技術】
【０００２】
パチンコ機には、可変表示装置に可変表示される図柄が所定の図柄で停止した
場合に大当たりとするものがある。このようなパチンコ機には、通常、可変表示
装置を制御するためにＣＰＵ等を備えた回路基板が設けられている。そして、こ
の回路基板は遊技盤の裏面に装着される基板収納ボックス内に収納されている。
基板収納ボックスは固定側のケースと、これに被覆される被覆側ケースとからな
っているが、不正な改造がなされないよう、ケースの開放は厳重に監視されるこ
とが要求されている。このため、従来より、両ケースの合わせ面に封印紙を貼り
付けることが行われてきた。
【発明の開示】
【発明が解決しようとする課題】
【０００３】
しかしながら、封印紙といえども破られずにそのまま剥離してしまう可能性は
完全に否定できるものではない。従来は封印の証となるものは封印紙の切断の有
無のみであり、万一、封印紙が巧みに剥されるような事態が起きたときには直ち
に不正改造の危機に晒されることとなっていた。したがって、より封印の完全性
を達成する手段が求められていた。
【０００４】
本発明は上記した従来の問題点に鑑みて開発工夫されたものであり、その目的
とするところは、確実な封印を行うことができる封印構造を提供することである
。
【課題を解決するための手段】
【０００５】
上記の目的を達成するための請求項１の発明は、遊技動作を制御する回路基板
を固定するための固定側ケースと、この固定側ケースと整合する被覆側ケースと
によって、これら両ケースの内部に前記回路基板を封印して収納させるための構
造であって、前記回路基板が収納される空間内において前記被覆側ケースあるい
は前記固定側ケースの間に樹脂部材を架け渡すとともに、その端部を前記両ケー
スのうち少なくとも一方の側に形成した開口部より引き出して、端部を熱かしめ
することによって両ケースの封印がなされていることを特徴とするものである。
【発明を実施するための最良の形態】
【０００６】
請求項１の発明によれば、樹脂部材をケース内において被覆側・固定側の両ケ
ース間に架け渡し、その先端部をケースに形成した開口から引き出して、ここを
熱かしめするようにしたため、そのままケースを開放しようとしても、樹脂部材
がこれに抗し、もってケースの封印状況が保持される。すなわち、熱かしめ部分
を破壊ないし切断しない限りは、ケースを開放することができないため、その破
壊等の痕跡によって封印が解かれたことが明きらかとなる。
【０００７】
［第一実施形態］
以下、本発明のパチンコ機における基板収納ボックスの封印構造を具体化した
第一実施形態について図１〜図１５を参照して説明する。
【０００８】
＜パチンコ機の概略＞
まず、パチンコ機の概略について簡単に説明する。パチンコ機の正面を示す図
１０において、額縁状に形成されたパチンコ機の前面枠１１には、金枠１２が嵌
め込まれており、その金枠１２の開口のうち下側開口部分は前面板１３によって
塞がれている。そして、その前面板１３には、打球を貯留しかつ図示しない打球
発射装置に打球を供給する上受け皿１４が設けられている。また、金枠１２の開
口のうち、上側開口部分には窓枠１５が嵌め込まれ、そこには透明な板硝子１６
が嵌め込まれている。さらに、前面枠１１のうち、前面板１３の下方部分には賞
球を貯留する下受け皿１７及び打球発射装置を操作するハンドル１８が設けられ
ている。
【０００９】
そして、上記前面枠１１の裏面側には、図９に示す遊技盤１９が装着されるよ
うになっている。これにより窓枠１５内に遊技領域が形成される。即ち、遊技盤
１９の前面には、各種の入賞玉受入装置や、可変表示装置、装飾ランプ等が配さ
れている。また、遊技盤１９の裏面には入賞玉集合カバー２０が装着されており
、そこに本発明の封印構造を備えた基板収納ボックス２１が取り付けられている
。そして、その中には上記可変表示装置等の制御用回路基板２２が不正改造され
ないように封印構造をもって封印されている。
【００１０】
＜基板収納ボックスの構造＞
基板収納ボックス２１は、図１に示すように、回路基板２２を固定するための
固定側ケース２３とその回路基板２２を覆う被覆側ケース２４とから構成される
。固定側ケース２３は、図２に示すように、長方形状の金属製の鋼板からなり、
その４隅にはボス部２５（金属製）が立設されている。各ボス部２５には、ねじ
孔が形成されており、ここにビス２６（金属製）を締め付けることができるよう
になっている。この固定側ケース２３における一方の長辺部（図２中、手前側の
縁部）は上方に僅かに折り曲げ形成されており、その折曲壁２７のほぼ中央部分
には基板挟持部２８が形成されている。基板挟持部２８は、一対の基板受部２９
，２９とその間に配された基板押さえ部３０とからなり、基板受部２９は折曲壁
２７の所定部位を僅かに上方に突出させた後、内側に折り曲げられることにより
形成されている。また、基板押さえ部３０も基板受部２９同様に折曲壁２７の一
部を突出させた後、内側に折り曲げられることにより形成されるのであるが、基
板受部２９より僅かに高く突出させてある。基板受部２９と基板押さえ部３０と
の突出高さの差をもって回路基板２２の一縁部を差し込んで保持できるようにし
ている。さらに、これと反対側の長辺部（図２中、奥側の縁部）も同様に上方に
僅かに折り曲げられており、その折曲壁３１から底板４６にかけての部分には、
細長な引っ掛け孔３２が適当間隔毎に４個形成されている。
【００１１】
一方、被覆側ケース２４は、図３に示すように、長方形状をなす金属製の鋼板
の周縁部を下向きに折り曲げて形成されている。そして、この被覆側ケース２４
の長辺側の寸法は固定側ケース２３の対応する辺の寸法に等しく、短辺側の寸法
は、固定側ケース２３の対応する辺より短く形成されている。また、被覆側ケー
ス２４の前後両側壁（図３中、右側及び左側）は、同図中の手前側の縁部が固定
側ケース２３の横幅寸法と等しくなるまで突出して張出片２４ａ，２４ａが形成
されている。また、被覆側ケース２４における図示手前側の側壁の下縁において
両張出片２４ａの内側にはそれぞれ取付片３７，３７が折り曲げ形成されている
。その取付片３７には取付孔３７ａが形成されており、この各取付孔３７ａの位
置は、後述するように被覆側ケース２４を固定側ケース２３に被せた状態（図７
に示す状態）で固定側ケース２３の一方側（図７中、左側）の両ボス部２５にそ
れぞれ整合する位置とされている。また、被覆側ケース２４において取付片３７
が設けられているのと反対側の側壁（図４中、手前側の側壁）には、その下縁部
（図４中、上縁部）に４個の引っ掛け片３８が前記引っ掛け孔３２に対応した間
隔で配されている。この引っ掛け片３８は、側壁の下縁部を内側に折り曲げるこ
とにより形成されたものであり、被覆側ケース２４を固定側ケース２３に対して
ほぼ９０度開いた姿勢（図６に示す姿勢）で固定側ケース２３の引っ掛け孔３２
に下方から嵌め込まれる。さらに、その後、引っ掛け片３８を引っ掛け孔３２に
係合させた状態のまま被覆側ケース２４を固定側ケース２３に対して被せる方向
（図６中、矢印方向）に回動させることができるようになっている。
【００１２】
さらに、被覆側ケース２４の上面部には、図３に示すように、方形状の大きな
窓孔３９を中央にして、その周りに複数のスリット４３等が開口している。一方
、被覆側ケース２４の裏面にはプラスチック製の閉鎖板４０が各開口を塞ぐよう
にして装着されている。但し、この閉鎖板４０は各開口を通してケース内を覗き
見ることができるよう透明なものが使用されている。より具体的には、窓孔３９
を透明な閉鎖板４０によって塞ぐのは、基板収納ボックス２１内に収納される回
路基板２２上に取り付けられるＲＯＭ（読み出し専用メモリ）の型式番号（例え
ば、シリアル番号やバージョン番号）等を窓孔３９を通して確認することができ
るようにするためである。また、被覆側ケース２４の長辺側の側壁にも複数のス
リット４８が形成されているが、これらは放熱孔として機能するものであるから
、これらについては閉鎖板４０によっては塞がれない。そして、被覆側ケース２
４の左右両内壁面には、閉鎖板４０の取り付けのために一対の係止受部４１が、
それぞれ前後に配され、共に内方へ切り起こすことによって形成されている。
【００１３】
一方、閉鎖板４０は、被覆側ケース２４の上壁面の裏側を覆うだけの大きさを
有し、かつ長辺側の壁面にかけてのＲ部分にも適合するような側縁形状となって
いる。さらに、閉鎖板４０の左右両縁部には、上記各係止受部４１に対応して係
止片部４２が突出形成されている。そして、被覆側ケース２４の裏面側に窓孔３
９、スリット４３等を塞ぐように閉鎖板４０を重ね合わせると各係止片部４２が
それぞれ係止受部４１に係合し、これにより閉鎖板４０が窓孔３９等を塞いだ状
態で保持される（図５参照）。
【００１４】
なお、被覆側ケース２４の上面には、一隅部（図３中、左上）に円形の貫通孔
４４が形成されており、同様に閉鎖板４０にも貫通孔４４に整合する位置に貫通
孔４５が形成されている。そして、この各貫通孔４４，４５を利用して被覆側ケ
ース２４にはキースイッチ５０（図７参照）が取り付けられるようになっている
。このキースイッチ５０は、回路基板２２を基板収納ボックス２１内に収納した
状態でボックス２１外から操作することができ、これを操作することにより例え
ば大当たりする確率を変動させることができるものである。また、閉鎖板４０に
はスリット４３に整合する位置に複数の小孔４９が形成されており、これらはス
リット４３と整合することにより上記スリット４８同様に放熱孔として機能する
。
【００１５】
＜封印構造＞
次に、封印構造について述べる。即ち、固定側ケース２３の折曲壁３１の中央
部分及び固定側ケース２３における一方の短辺部（図２中、右縁部）の中央部分
には、それぞれ突出片３３，３４が上向きに折り曲げ形成されている。この突出
片３３は折曲壁３１より高く突出し、そのほぼ中央部には長孔状に形成された係
止孔３３ａが穿孔されている。また、被覆側ケース２４において取付片３７が設
けられているのと反対側の側壁（図４中、手前側の側壁）及び一方の短辺部（図
４中、右縁部）の中央部分には、それぞれ上記各突出片３３，３４に対応して切
欠部３５，３６が形成されている。そして、被覆側ケース２４を閉じるとその切
欠部３５，３６に固定側ケース２３に形成された突出片３３，３４がそれぞれ面
一をなして整合するようになっている。
【００１６】
さらに、図１１に示すように、閉鎖板４０の一方の長辺部（被覆側ケース２４
における切欠部３５が形成された側に整合する側の辺）の中央部分には規制片５
１が下向きにかつ撓み変形可能に延出形成されている。その規制片５１の下端部
中央部分であって外側の面には上記係止孔３３ａにほぼ適合して嵌合可能な係止
突部５１ａが形成されている。この係止突部５１ａの位置は、閉鎖板４０を被覆
側ケース２４の裏面に取り付けた際に切欠部３５のほぼ中央部分に配される位置
であり、被覆側ケース２４を閉じた際に固定側ケース２３の突出片３３に穿孔さ
れる係止孔３３ａに嵌り合う位置となっている。また、この係止突部５１ａの突
出寸法は係止孔３３ａに嵌合した状態で先端が突出片３３の外面から僅かに突出
する寸法に設定されており、その突出部分を熱かしめすることができるようにな
っている。
【００１７】
なお、回路基板２２は、固定側ケース２３より僅かに小さな方形状をなしてお
り、その４隅には、ボス部２５に対応する位置に固定孔２２ａが形成されている
。また、その回路基板２２上にはプリント配線が施され、かつＣＰＵやＲＯＭ等
の電気分品が複数個半田付けされている。また、図示しないが、各固定孔２２ａ
の周りには、回路のグランドを構成するランドが形成されている。
【００１８】
＜第一実施形態の作用＞
基板収納ボックス２１内に回路基板２２を収納しかつ封印するための手順につ
いて述べる。まず、回路基板２２を固定側ケース２３上に重ね合わせ、回路基板
２２の縁部（図６中、左縁部）を基板挟持部２８に保持させかつ一方側（図６中
、右側）の固定孔２２ａをボス部２５にねじ止めする。さらに、この状態で、被
覆側ケース２４を固定側ケース２３に対してほぼ９０度開いた姿勢とし、被覆側
ケース２４の引っ掛け片３８を固定側ケース２３の引っ掛け孔３２に下方向から
差し込む。（図１及び図６参照）。そして、引っ掛け片３８を引っ掛け孔３２に
係合させた状態のまま、被覆側ケース２４を固定側ケース２３に対して被せる方
向（図１及び図６中、矢印で示す方向）に回動させる。
【００１９】
この際、規制片５１は、切欠部３５を介して被覆側ケース２４の外側から指で
内方に湾曲させ（図１２参照）、被覆側ケース２４の閉蓋方向への回動とともに
固定側ケース２３の突出片３３の内側に入り込ませるようにする（図１３参照）
。すると、被覆側ケース２４の回動に伴って、湾曲した規制片５１は弾性力で徐
々にもとの状態に戻りつつ、係止突部５１ａが突出片３３の上縁部を乗り越えて
突出片３３の内側に移動する。そして、被覆側ケース２４が固定側ケース２３に
対し正規の閉蓋状態になると規制片５１は突出片３３の内側面に重なり合い、係
止突部５１ａが突出片３３の係止孔３３ａに嵌り込む。これにより、被覆側ケー
ス２４側に設けられた係止突部５１ａは固定側ケース２３の係止孔３３ａを介し
てその先端が基板収納ボックス２１外に突出することになる。
【００２０】
そして、ビス２６を取付孔３７ａ及び固定孔２２ａに挿入し、被覆側ケース２
４及び回路基板２２の他方側をボス部２５に共締めするとともに、係止突部５１
ａの基板収納ボックス２１外に突出する部分を熱でかしめる（図１４参照）。さ
らに、突出片３４と切欠部３６との整合面にまたがるように封印紙４７を貼り付
けるとともに、突出片３３と切欠部３５との整合面にも封印紙４７を熱かしめ部
分の一部を覆った状態となるように貼り付ける（図１５参照）。これにより、回
路基板２２は基板収納ボックス２１内に収納されかつ規制片５１及び封印紙４７
をもって封印される。
【００２１】
＜第一実施形態の効果＞
このように本実施形態では、規制片５１を基板収納ボックス２１内において被
覆側ケース２４から固定側ケース２３に架け渡し、かつその先端部を固定側ケー
ス２３に形成した係止孔３３ａから突出させ、さらにそこを熱でかしめたため、
そのまま基板収納ボックス２１を開放しようとしても、規制片５１がこれに抗し
、規制片５１の熱かしめ部分を破壊或いは切断しない限りこれを開放させること
ができない。従って、基板収納ボックス２１の封印状況が確実に保持される。ま
た、熱かしめ部分を破壊或いは切断した場合には、その破壊等の痕跡によって封
印が解かれたことが明きらかとなる。さらに、固定側ケース２３と被覆側ケース
２４との整合面には封印紙４７が貼り付けられており、特に一方の封印紙４７は
熱かしめ部分の一部を覆うように貼り付けられており、熱かしめ部分を破壊等す
るには封印紙４７を剥離した上で行わなければならないから、封印は２重構造と
なり、基板収納ボックス２１が不正に開けられることがより確実に防止される。
【００２２】
［第二実施形態］
以下、本発明のパチンコ機における基板収納ボックスの封印構造を具体化した
第二実施形態について図１６〜図１９を参照して説明する。
【００２３】
上記第一実施形態では、封印構造において規制片５１に形成された係止突部５
１ａは単なる突部であったが、本実施形態では、係止突部６１に切り込みが形成
されている。なお、その他の構成部分は、上記第一実施形態と同様であるため、
ここでは同一部分には同一符号を付して説明を省略する。
【００２４】
即ち、図１６に示すように、規制片５１の下端部外側面には、上記第一実施形
態同様に係止突部６１が形成されており、その係止突部６１は円柱状をなしてい
る。また、固定側ケース２３の突出片３３には、図１７に示すように、上記係止
突部６１に対応して係止孔３３ａが形成され、かつその係止孔３３ａは係止突部
６１の形状より僅かに大きく設定されており、そこに係止突部６１を嵌め込むこ
とができるようになっている。また、係止突部６１の突出寸法は、係止孔３３ａ
に嵌まり合った状態でその先端が係止孔３３ａから僅かに突出する寸法に設定さ
れており、嵌合状態で突出部分を熱かしめできるようにしている。また、係止突
部６１の突出面には、十字状の切り込み部６２が形成されており、その深さは規
制片５１の表面に至る部分まで達している。これにより、係止突部６１は、同形
状の４つの突片６３に分割される。
【００２５】
さて、本実施形態でも上記第一実施形態同様に被覆側ケース２４を固定側ケー
ス２３に取り付ける際に規制片５１を撓み変形させて固定側ケース２３の突出片
３３の内側に入り込ませる。すると、係止突部６１は固定側ケース２３と被覆側
ケース２４とが正規の閉蓋状態とされるのに伴って係止孔３３ａに嵌まり込む（
図１７参照）。その後、係止孔３３ａから突出する部分を熱かしめするのである
が、本実施形態では、熱かしめ治具６４の先端を係止突部６１の突出面のほぼ中
央部、つまり、切り込み部６２の中心部に押し付ける（図１８参照）。そして、
熱かしめ治具６４の先端を切り込み部６２内に割り込ませると、分割された各突
片６３は開かれるようにして押し潰され、係止孔３３ａの開口周縁に均一に広が
ってかしめ状態とされる。さらに、その後、被覆側ケース２４の切欠部３５と固
定側ケース２３の突出片３３との整合面においてこの熱かしめ部分の一部を覆う
ようにして封印紙６５を貼り付ける（図１９参照）。
【００２６】
ところで、本実施形態のように係止突部に切り込みを設けず、単に棒軸状に形
成したものでは、熱を加えながら係止突部を押し潰しても、押し潰し方向等、作
業上のばらつきによって係止孔周りに均一幅をもって潰れ変形させるのは容易で
ない。結果的に、係止孔周りの一方に偏った状態でかしめがなされることが多い
。その点、本実施形態のように、係止突部６１に切り込みを設けたものでは、熱
かしめ治具６４による押し潰し操作がなされた場合に、４つの突片６３がそれぞ
れ放射方向に倒されながら押し潰し作用を受けるため、かしめ部分の偏在化が避
けられ係止孔３３ａ周りのかしめが均一になる。したがって、本実施形態のもの
は、係止突部６１を上記のような単なる棒軸状に形成したものに比較すれば、熱
かしめがより確実なものとなる。
【００２７】
［第三実施形態］
以下、本発明のパチンコ機における基板収納ボックスの封印構造を具体化した
第三実施形態について図２０〜図２２を参照して説明する。
【００２８】
上記第一実施形態では、封印構造は固定側ケース２３における折曲壁３１のほ
ぼ中央部に突出する突出片３３に対して規制片５１を係合させることにより構成
されたが、本実施形態では固定側ケース２３における短辺部に突出する突出片３
４に規制片７１を係合させることにより構成される。なお、その他の構成部分は
、上記第一実施形態と同様であるため、ここでは同一部分には同一符号を付して
説明を省略する。
【００２９】
即ち、図２０に示すように、閉鎖板４０の一方の短辺部のほぼ中央部には規制
片７１が下向きかつ撓み変形可能に延出形成されており、その下端部は図２１に
示すように、被覆側ケース２４の切欠部３６内に達している。さらに、その規制
片７１の下端部外側面には直方体状の係止突部７２が形成されている。この係止
突部７２の下端部はテーパ状に切り欠かれており、次述する係止孔３４ａに嵌り
込む際の案内部７２ａとされている。一方、固定側ケース２３の一方の短辺部に
突出する突出片３４には、そのほぼ中央部に上記係止突部７２に対応して係止孔
３４ａが形成されており、その大きさは係止突部７２の形状より僅かに大きく形
成されここに係止突部７２を嵌合可能にしている。また、係止突部７２の突出寸
法は、係止孔３４ａに嵌合した状態で僅かに突出する寸法に設定されており、嵌
合状態で突出する部分を熱かしめ可能にしている。
【００３０】
さて、本実施形態では、被覆側ケース２４を固定側ケース２３に対してほぼ９
０度に開いた姿勢で係合させた後、被覆側ケース２４をそのまま固定側ケース２
３に対する閉蓋方向（図２１中、矢印方向）に回動させる。すると、被覆側ケー
ス２４が閉蓋状態とされるに伴って、係止突部７２の案内部７２ａが突出片３４
の先端に押圧されて規制片７１は内方に撓み、被覆側ケース２４が正規の閉蓋状
態となると突出片３４の係止孔３４ａに係止突部７２が内側から嵌り込む（図２
２参照）。そして、その後、係止孔３４ａから突出する部分に熱かしめ治具を押
し付けて熱かしめするとともに、突出片３４と切欠部３６との整合面においてこ
の熱かしめ部分の一部を覆うように封印紙７３を貼ればよい（図２２参照）。こ
れにより基板収納ボックスは封印状態とされる。
【００３１】
従って、本実施形態では、固定側ケース２３を被覆側ケース２４で閉蓋する際
に、規制片７１を指等で強制的に撓ませながら行う必要がないから、封印作業が
非常に容易である。
【００３２】
なお、本実施形態においても、係止突部７２に第二実施形態に示すような切り
込みを形成すれば、当然に第二実施形態同様、熱かしめの確実性という効果を得
る。
【００３３】
［第四実施形態］
以下、本発明のパチンコ機における基板収納ボックスの封印構造を具体化した
第四実施形態について図２３を参照して説明する。
【００３４】
第一実施形態における係止孔３３ａの形態に代えて、図２３に示すように切り
欠いて形成したものとしてもよい。即ち、突出片３３の上縁部のほぼ中央部から
下方に向けて切欠溝８１を形成し、その下端部を突出片３３のほぼ中間の深さま
で切り欠く。また、切欠溝８１の開口縁部をテーパ状に切り欠いて案内部８１ａ
とし、係止突部５１ａを切欠溝８１内に嵌り易くする。なお、その他の構成部分
は、第一実施形態と同様であるため、ここでは同一部分には同一符号を付して説
明を省略する。
【００３５】
これにより、被覆側ケース２４を固定側ケース２３に取り付ける際に、係止突
部５１ａは突出片３３の先端に係合した後、切欠溝８１内に案内され、両ケース
２３，２４が正規の閉蓋状態とされるのに伴って突出片３３のほぼ中央まで切欠
溝８１に沿って移動する。従って、第一実施形態のように係止突部５１ａを係止
孔３３ａに嵌め込む際に突出片３３の先端を無理矢理乗り越えさせなくてもよい
から、円滑に封印作業を行うことができる。さらには、係止突部５１ａが突出片
３３に押圧されて規制片５１が大きく撓み変形されることもないから、規制片５
１の破損や突出片３３の変形等を防止できる。
【００３６】
なお、当然に本実施形態の発明を第二、第三実施形態に適用することができ、
特に、第三実施形態に適用した場合には係止突部７２の案内部７２ａを不要とす
ることができる。
【００３７】
［第五実施形態］
以下、本発明のパチンコ機における基板収納ボックスの封印構造を具体化した
第五実施形態について図２４及び図２５を参照して説明する。
【００３８】
図３に示すように、第一実施形態において規制片５１は閉鎖板４０における湾
曲した側部下縁をそのまままっすぐ下方に延出させることにより形成されていた
。即ち、規制片５１は、閉鎖板４０の長辺側の側縁部を被覆側ケース２４のＲ部
分に適合して湾曲させた後、被覆側ケース２４の内壁面に沿って切欠部３５まで
延出形成されている。従って、第一実施形態では、被覆側ケース２４と固定側ケ
ース２３とが正規の閉蓋状態とされると、図１４に示すように、規制片５１は被
覆側ケース２４から切欠部３５に整合する固定側ケース２３の突出片３３にかけ
て両内壁面に密接した状態で延び、その規制片５１の下端部に形成された係止突
部５１ａを突出片３３の係止孔３３ａに嵌め込む。
【００３９】
これに対し本実施形態では、図２４及び図２５に示すように、規制片９１は閉
鎖板４０の湾曲部４０ａより僅かに内側部分から下方に折り曲げることにより形
成される。即ち、閉鎖板４０の側縁部のほぼ中央部において、規制片９１は被覆
側ケース２４のＲ部分に適合するように湾曲するのではなく、被覆側ケース２４
の内壁面との間に僅かな空間を形成して下方に垂直に折れ曲がり形成されている
。さらに、その規制片９１の下端部９１ａは、上記第一実施形態同様に切欠部３
５まで延出されているが、その下端部９１ａは外側へ山なりに湾曲している。従
って、被覆側ケース２４と固定側ケース２３とが正規の閉蓋状態とされて切欠部
３５に突出片３３が整合すると、規制片９１の下端部９１ａはこの突出片３３の
内壁面に弾性力をもって押し付けられるようになっている。また、その山なりに
湾曲した下端部９１ａの頂部には係止突部９２が形成されており、正規の閉蓋状
態において突出片３３の係止孔３３ａに嵌合可能とされている。なお、その他の
構成部分は、第一実施形態と同様であるため、ここでは同一部分には同一符号を
付して説明を省略する。
【００４０】
さて、本実施形態でも、基板収納ボックスを封印するためには、上記第一実施
形態同様に規制片９１を撓み変形させつつ被覆側ケース２４を固定側ケース２３
に取り付ける。これにより、両ケース２３，２４が正規の閉蓋状態とされるにつ
れ規制片９１は切欠部３５に整合する突出片３３の内側へ入り込み、その下端部
９１ａに形成された係止突部９２を突出片３３の係止孔３３ａへと導く。
【００４１】
ところで、被覆側ケース２４と固定側ケース２３とが閉蓋状態となったときに
、正規には切欠部３５内に整合する突出片３３と被覆側ケース２４の内壁面とは
面一になるのであるが、組み付け上の誤差等により面一にならず、段差を生じる
ことがある。しかし、この段差が、例えば、突出片３３が被覆側ケース２４の内
壁面より外側へ位置ずれする方向に生じた場合には、上記第一実施形態のように
規制片５１が被覆側ケース２４の内壁面に密接する状態で延びているものでは、
規制片５１と突出片３３との間に隙間を生じ、係止孔３３ａからの係止突部５１
ａの突出量が小さくなってしまう。逆に、突出片３３が被覆側ケース２４の内壁
面より内側へ位置ずれした場合には、規制片５１の下端部は突出片３３によって
内側へ押圧されて斜めに変形され、その結果係止突部５１ａは係止孔３３ａに嵌
め込まれずにその開口縁部に引っ掛かったままになるという事態が発生する。
【００４２】
しかし、本実施形態では、規制片９１は被覆側ケース２４の内壁面との間に僅
かな空間を形成しつつ下方に延びかつ下端部９１ａが山なりに湾曲しており、両
ケース２３，２４が正規の閉蓋状態とされると規制片９１の下端部は突出片３３
の内壁面に押し付けられる。そのため、突出片３３と被覆側ケース２４の内壁面
とが多少ずれて整合しても、規制片９１の下端部と突出片３３との間に隙間を生
じたり、規制片９１の下端部が押圧されて斜めに変形したりすることはなく、係
止突部９２は押し出されるようにして係止孔３３ａに嵌め込まれる。
【００４３】
従って、本実施形態では、両ケース２３，２４の正規の閉蓋状態のおいて、係
止突部９２は確実に係止孔３３ａに嵌め込まれ、かつその先端は熱かしめし易い
ように係止孔３３ａから突出する。
【００４４】
なお、当然に本実施形態の発明を第二、第三、第四実施形態に適用することが
できる。
【００４５】
［その他の実施形態］
なお、本発明は種々の変更が可能であり、次のような変形例も本発明の技術的
範囲に含まれる。
【００４６】
（１）  上記各実施形態では固定側・被覆側のいずれのケース２３，２４も金
属製のものを使用したが、被覆側ケースについては樹脂製であってもよく、その
ようにすれば閉鎖板をケースと一体化させたものとすることもできる。
【００４７】
（２）  また、引っ掛け孔３２と引っ掛け片３８との係合によりヒンジを構成
していたが、そのようなヒンジを構成せずに被覆側ケースの四隅を固定側ケース
にねじ止めするものであってもよい。
【００４８】
（３）  上記各実施形態のように、必ずしも規制片５１，７１，９１は閉鎖板
４０から一体に形成される必要はなく、それ自体単独で形成されたものであって
もよい。この場合には、適当な手段によってケースの内面に固定できるようにす
ることが必要となる。例えば、そのようにして樹脂部材を固定側ケースから延出
させ被覆側ケースの外面において熱かしめするようにしてもよい。
【００４９】
（４）  さらには、固定側・被覆側のいずれのケースにも小孔を設け、その小
孔間に樹脂部材を掛け渡し、かつ樹脂部材の両端部を両小孔を介してそれぞれケ
ースの外面で熱かしめするようにしてもよい。
【００５０】
（５）  上記第一実施形態における係止突部５１ａの下端部をテーパ状に切り
欠き、突出片３３の先端を乗り越える際にこのテーパ面を係合させながら行って
もよい。これにより、円滑に係止突部が係止孔に案内され、もって封印作業が容
易とされる。
【００５１】
（６）  上記第二実施形態では、係止突部６１に十字状の切り込み部６２が形
成されていたが、縦方向或いは横方向に係止突部を２分割するような切り込みや
、係止突部を適当な角度毎に等分割するような切り込みであってもよく、要する
に切り込みによって分割される分割片（第二実施形態中、突片）が均一に押し開
かれるようなものであればよい。
【００５２】
（７）  また、各突片が寄せ集められている中心部にこれらによって形成され
る円錐状のテーパ面を設定し、熱かしめ治具の先端を導入し易くしてもよい。
【００５３】
（８）  上記第三実施形態は、固定側ケース２３における短辺部の突出片３４
を利用したものであったが、これに限らず、引っ掛け孔等を形成した長辺部とは
反対側の長辺部（第一実施形態中、折曲壁２７側）に突出片を形成しかつこれに
対応して被覆側ケースに規制片を設けるようにしてもよい。
【００５４】
その他、本発明は要旨を逸脱しない範囲内で種々変更して実施することができ
る。
【図面の簡単な説明】
【００５５】
【図１】第一実施形態の全体を示す斜視図である。
【図２】同実施形態における固定側ケースを示す斜視図である。
【図３】同実施形態における被覆側ケースと閉鎖板を示す分解斜視図である。
【図４】同実施形態における被覆側ケースを裏返して示す斜視図である。
【図５】同実施形態における被覆側ケースに閉鎖板を取り付けた状態を示す断面図である。
【図６】同実施形態における固定側ケースの引っ掛け孔に被覆側ケースの引っ掛け片を係合させた状態を示す断面図である。
【図７】同実施形態における回路基板を収納した状態を示す断面図である。
【図８】同実施形態における回路基板を収納した状態を示す斜視図である。
【図９】同実施形態における遊技盤の裏面を示す後面図である。
【図１０】同実施形態におけるパチンコ機の正面を示す正面図である。
【図１１】同実施形態における規制片を示す部分拡大側面図である。
【図１２】同実施形態における封印過程（規制片を湾曲させた状態）を示す部分拡大断面図である。
【図１３】同実施形態における封印過程（規制片の先端が突出片の内側に入り込む状態）を示す部分拡大断面図である。
【図１４】同実施形態における封印過程（封印された状態）を示す部分拡大断面図である。
【図１５】同実施形態における封印紙を貼り付けた状態を示す部分拡大側面図である。
【図１６】第二実施形態における係止突部を示す部分拡大斜視図である。
【図１７】同実施形態における係止突部の嵌合状態を示す部分拡大側面図である。
【図１８】同実施形態における熱かしめ状態を示す部分拡大断面図である。
【図１９】同実施形態における封印紙を貼り付けた状態を示す部分拡大側面図である。
【図２０】第三実施形態における規制片を示す部分拡大斜視図である。
【図２１】同実施形態における閉蓋前の状態を示す側面図である。
【図２２】同実施形態における閉蓋状態を示す側面図である。
【図２３】第四実施形態における突出片を示す部分拡大側面図である。
【図２４】第五実施形態における規制片を示す部分拡大斜視図である。
【図２５】同実施形態における係止突部の嵌合状態を示す部分拡大断面図である。
【符号の説明】
【００５６】
２１…基板収納ボックス
２２…回路基板
２３…固定側ケース
２４…被覆側ケース
３３ａ…係止孔（開口部）
８１…切欠溝（開口部）
５１，７１，９１…規制片
５１ａ，６１，７２，９２…係止突部（端部）
【図１】
2008259914.tif 000003
【図２】
2008259914.tif 000004
【図３】
2008259914.tif 000005
【図４】
2008259914.tif 000006
【図５】
2008259914.tif 000007
【図６】
2008259914.tif 000008
【図７】
2008259914.tif 000009
【図８】
2008259914.tif 000010
【図９】
2008259914.tif 000011
【図１０】
2008259914.tif 000012
【図１１】
2008259914.tif 000013
【図１２】
2008259914.tif 000014
【図１３】
2008259914.tif 000015
【図１４】
2008259914.tif 000016
【図１５】
2008259914.tif 000017
【図１６】
2008259914.tif 000018
【図１７】
2008259914.tif 000019
【図１８】
2008259914.tif 000020
【図１９】
2008259914.tif 000021
【図２０】
2008259914.tif 000022
【図２１】
2008259914.tif 000023
【図２２】
2008259914.tif 000024
【図２３】
2008259914.tif 000025
【図２４】
2008259914.tif 000026
【図２５】
2008259914.tif 000027